(57)【要約】【課題】  ズームレンズに入射される光の量をズーム領域の全領域において最適化する。【解決手段】  光軸方向において広角端と望遠端との間で移動されてズーム倍率を変換するズームレンズ９ｂと、該ズームレンズの光軸に垂直な面内においてそれぞれ移動されてズームレンズに入射される光の量を制御する複数の光量制御羽根１２、１２と、該複数の光量制御羽根をズームレンズの光軸に垂直な方向に移動自在に支持する支持ベース１１とを設け、複数の光量制御羽根をズームレンズの光軸方向における移動位置に応じた位置に移動させてズームレンズに入射される光の量を制御するようにした。【選択図】        図３
2008281767.tif 000002
【特許請求の範囲】
【請求項１】
光軸方向において広角端と望遠端との間で移動されてズーム倍率を変換するズームレンズと、
該ズームレンズの光軸に垂直な面内においてそれぞれ移動されてズームレンズに入射される光の量を制御する複数の光量制御羽根と、
該複数の光量制御羽根をズームレンズの光軸に垂直な方向に移動自在に支持する支持ベースとを備え、
複数の光量制御羽根がズームレンズの光軸方向における移動位置に応じた位置に移動されてズームレンズに入射される光の量が制御されるようにした
ことを特徴とする撮像装置。
【請求項２】
光軸方向においてズームレンズに対して被写体側に配置された撮影レンズを設け、
複数の光量制御羽根を撮影レンズに対して光軸方向における被写体側に配置し、
撮影レンズを閉塞する位置まで複数の光量制御羽根を移動可能とした
ことを特徴とする請求項１に記載の撮像装置。
【発明の詳細な説明】
【技術分野】
【０００１】
本発明は撮像装置についての技術分野に関する。詳しくは、ズームレンズの光軸方向における移動位置に応じて複数の光量制御羽根を移動させてズームレンズに入射される光の量をズーム領域の全領域において最適化する技術分野に関する。
【背景技術】
【０００２】
ズームレンズを有し焦点の位置が可変するビデオカメラ等の各種の撮像装置においては、例えば、焦点位置が遠方（望遠側）にある状態で撮影した場合に、画角外の不要な光が入射されてしまうと、画像に対して悪影響を及ぼす反射光により画質の低下を来たすおそれがある。
【０００３】
そこで、このようなズームレンズを有する撮像装置にあっては、画角外への不要な光の入射を防止するために、レンズフードの取付が可能とされたものがある（例えば、特許文献１参照）。
【０００４】
【特許文献１】特開２００６−２９２７９７号公報
【発明の開示】
【発明が解決しようとする課題】
【０００５】
ところが、特許文献１に記載された撮像装置にあっては、レンズフードを取り付けた状態において、ズームレンズが望遠端に位置されたときに入射される光の量の最適化が図られるように設定されているため、レンズフードを取り付けたときに使用可能な焦点の位置が限定されてしまう。
【０００６】
従って、ズームレンズの可動領域であるズーム領域の全領域において、焦点の位置に応じた光量の適正な制御を行うことができないと言う問題がある。
【０００７】
また、焦点の位置に応じて撮影者がレンズフードの着脱を行う必要があり、着脱と言う面倒な作業を要する他、レンズフードの着脱中に撮影機会を逸するおそれもあり、使い勝手が悪いと言う不都合もある。
【０００８】
そこで、本発明撮像装置は、上記した問題点を克服し、ズームレンズに入射される光の量をズーム領域の全領域において最適化すること等を課題とする。
【課題を解決するための手段】
【０００９】
本発明撮像装置は、上記した課題を解決するために、光軸方向において広角端と望遠端との間で移動されてズーム倍率を変換するズームレンズと、該ズームレンズの光軸に垂直な面内においてそれぞれ移動されてズームレンズに入射される光の量を制御する複数の光量制御羽根と、該複数の光量制御羽根をズームレンズの光軸に垂直な方向に移動自在に支持する支持ベースとを設け、複数の光量制御羽根をズームレンズの光軸方向における移動位置に応じた位置に移動させてズームレンズに入射される光の量を制御するようにしたものである。
【００１０】
従って、本発明撮像装置にあっては、ズームレンズの光軸方向における移動位置に応じて光量が制御される。
【発明の効果】
【００１１】
本発明撮像装置は、光軸方向において広角端と望遠端との間で移動されてズーム倍率を変換するズームレンズと、該ズームレンズの光軸に垂直な面内においてそれぞれ移動されてズームレンズに入射される光の量を制御する複数の光量制御羽根と、該複数の光量制御羽根をズームレンズの光軸に垂直な方向に移動自在に支持する支持ベースとを備え、複数の光量制御羽根がズームレンズの光軸方向における移動位置に応じた位置に移動されてズームレンズに入射される光の量が制御されるようにしたことを特徴とする。
【００１２】
従って、ズームレンズの可動領域であるズーム領域の全領域において、ズームレンズの移動位置に応じた光量の適正な制御を行うことができ、ズーム領域の全領域においてズームレンズに入射される光の量を最適化することができる。
【００１３】
また、撮影時のズーム倍率に応じて撮影者がレンズフードの着脱を行う必要がなく、撮影機会が変化する中での撮影に迅速に対応することが可能となり、使い勝手の向上を図ることができる。
【００１４】
請求項２に記載した発明にあっては、光軸方向においてズームレンズに対して被写体側に配置された撮影レンズを設け、複数の光量制御羽根を撮影レンズに対して光軸方向における被写体側に配置し、撮影レンズを閉塞する位置まで複数の光量制御羽根を移動可能としたので、別に、レンズバリヤー等の撮影レンズを保護する専用の機構を必要とせず、小型化及び製造コストの低減を図ることができる。
【発明を実施するための最良の形態】
【００１５】
以下に、本発明を実施するための最良の形態を添付図面に従って説明する。
【００１６】
以下に示した最良の形態は、本発明をビデオカメラに適用したものである。尚、本発明の適用範囲はビデオカメラに限られることはなく、例えば、スチルカメラや画像を撮影する他の撮像装置等に広く適用することができる。
【００１７】
以下の説明にあっては、ビデオカメラの撮影時において撮影者（使用者）から見た方向で前後上下左右の方向を示すものとする。従って、被写体側を前方とし、撮影者側を後方とする。尚、以下に示す前後上下左右の方向は説明の便宜上のものであり、本発明の実施に関しては、これらの方向に限定されることはない。
【００１８】
撮像装置（ビデオカメラ）１は筐体２の内外に所要の各部が配置されて成る（図１及び図２参照）。
【００１９】
撮像装置１は、装置本体３と該装置本体３に開閉自在かつ回動自在に連結された表示部４とを有している。
【００２０】
装置本体３の後面には複数の操作部５、５、・・・が配置されている。操作部５、５、・・・としては、例えば、ズーム摘子、静止画撮影用のシャッター釦、電源釦、録画モードと再生モードを切り替えるモード切替ダイヤル等が設けられている。
【００２１】
装置本体３の後面における上端部にはファインダー６が設けられている。
【００２２】
装置本体３の側面には着脱可能なバッテリー７が取り付けられる。
【００２３】
装置本体３の上端部はレンズ鏡筒部８として設けられ、該レンズ鏡筒部８の内部に複数のレンズ９、９、・・・が前後方向（光軸方向）に離隔して配置されている（図３及び図４参照）。レンズ９、９、・・・としては、その最前部に配置された撮影レンズ９ａ、該撮影レンズ９ａの後側に配置されたズームレンズ９ｂ等が設けられている。撮影レンズ９ａはレンズ鏡筒部８の前端部に固定され、ズームレンズ９ｂは光軸方向へ移動可能とされている。
【００２４】
ズームレンズ９ｂは前側の移動端である広角端と後側の移動端である望遠端との間で移動可能とされており、ズーム摘子に対する操作に応じて光軸方向における所定の位置まで移動されてズーム倍率を変換する機能を有する。
【００２５】
レンズ鏡筒部８の前端部には光量制御部１０が取り付けられている。光量制御部１０は支持ベース１１と該支持ベース１１に光軸に直交する方向へ移動自在に支持された光量制御羽根１２、１２とを有している。
【００２６】
支持ベース１１は前後方向を向く支持面部１３と該支持面部１３の外周部から前方へ突出された周壁部１４とを有している。支持面部１３の中央部には配置孔１３ａが形成されている。
【００２７】
光量制御羽根１２、１２は支持ベース１１の支持面部１３に移動自在に支持されている。光量制御羽根１２、１２は、光軸に直交する面内において、例えば、互いに離隔する方向へ移動され、ズームレンズ９ｂの移動位置に応じた位置に移動される。
【００２８】
支持ベース１１には、光量制御羽根１２、１２を前側から押さえる羽根押さえ１５が取り付けられている。羽根押さえ１５の中央部には光透過孔１５ａが形成されている。
【００２９】
光量制御部１０がレンズ鏡筒部８に取り付けられた状態においては、支持ベース１１の配置孔１３ａに撮影レンズ９ａの前端部が配置される。
【００３０】
撮像装置１において、非使用時には光量制御羽根１２、１２が互いに内側の移動端にあり該光量制御羽根１２、１２によって撮影レンズ９ａが閉塞されている（図５参照）。従って、撮像装置１の非使用時において撮影レンズ９ａを保護することができる。
【００３１】
撮影者が電源釦を操作することにより電源が投入されると、内側の移動端に位置されていた光量制御羽根１２、１２が互いに離隔する方向（外側）へ移動され撮影レンズ９ａが開放される。このとき光量制御羽根１２、１２によって開口１２ａが形成され（図６及び図７参照）、光量制御羽根１２、１２の移動位置に応じて開口１２ａの開口面積が変化される。
【００３２】
例えば、ズームレンズ９ｂが広角端に位置されている状態（図３参照）においては、光量制御羽根１２、１２が最も外側まで移動され、開口１２ａの開口面積が最大とされる（図６参照）。このときズームレンズ９ｂには羽根押さえ１５の光透過孔１５ａ、光量制御羽根１２、１２によって形成された開口１２ａ及び撮影レンズ９ａを介して、図３に示すように、光が角度Ａを以て入射される。
【００３３】
撮影者のズームキーに対する操作によりズームレンズ９ｂが広角端から望遠端へ向けて移動されると、この移動に応じて光量制御羽根１２、１２が漸次内側へ移動されていき開口１２ａの開口面積が小さくなっていく（図７参照）。このときズームレンズ９ｂに入射される光の角度は、角度Ａより漸次小さくなっていき、例えば、ズームレンズ９ｂが望遠端に移動された状態（図４参照）においては、光が角度Ａより小さい角度Ｂを以て入射される。
【００３４】
逆に、撮影者のズームキーに対する操作によりズームレンズ９ｂが望遠端から広角端へ向けて移動されると、この移動に応じて光量制御羽根１２、１２が漸次外側へ移動されていき開口１２ａの開口面積が大きくなっていく。このときズームレンズ９ｂに入射される光の角度は、角度Ｂより漸次大きくなっていく。
【００３５】
撮影者が電源釦を操作することにより電源が遮断されると、光量制御羽根１２、１２が互いに内側へ移動され再び撮影レンズ９ａが光量制御羽根１２、１２によって閉塞されて保護される（図５参照）。
【００３６】
以上に記載した通り、撮像装置１にあっては、ズームレンズ９ｂの光軸方向における移動位置に応じて光量制御羽根１２、１２が移動されて光量の制御が行われるため、ズームレンズ９ｂの可動領域であるズーム領域の全領域において、ズームレンズ９ｂの移動位置に応じた光量の適正な制御を行うことができ、ズーム領域の全領域においてズームレンズ９ｂに入射される光の量が最適化され画質の向上を図ることができる。
【００３７】
また、撮影時のズーム倍率に応じて撮影者がレンズフードの着脱を行う必要がなく、撮影機会が変化する中での撮影に迅速に対応することが可能となり、使い勝手の向上を図ることができる。
【００３８】
さらに、レンズフードを不要とするため小型化を図ることができる他、レンズフードの取付部も不要となり機構の簡素化を図ることができる。
【００３９】
加えて、撮像装置にあっては、非使用時において光量制御羽根１２、１２が撮影レンズ９ａを閉塞して保護するため、別に、レンズバリヤー等の撮影レンズ９ａを保護する専用の機構を必要とせず、小型化及び製造コストの低減を図ることができる。
【００４０】
尚、上記には、２枚の光量制御羽根１２、１２を設けた例を示したが、光量制御羽根１２の数は２枚に限られることはなく、複数であれば任意である。
【００４１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００４２】
【図１】図２乃至図７と共に本発明の最良の形態を示すものであり、本図は、撮像装置の斜視図である。
【図２】撮像装置を図１とは別の方向から見た状態で示す斜視図である。
【図３】ズームレンズが広角端に位置されている状態を示す拡大断面図である。
【図４】ズームレンズが望遠端に位置されている状態を示す拡大断面図である。
【図５】図６及び図７と共に光量制御羽根によって形成される開口の状態を示すものであり、本図は、撮影レンズが閉塞された状態を示す概念図である。
【図６】ズームレンズが広角端に位置されているときの状態を示す概念図である。
【図７】ズームレンズが望遠端に位置されているときの状態を示す概念図である。
【符号の説明】
【００４３】
１…撮像装置、９ａ…撮影レンズ、９ｂ…ズームレンズ、１１…支持ベース、１２…光量制御羽根
【図１】
2008281767.tif 000003
【図２】
2008281767.tif 000004
【図３】
2008281767.tif 000005
【図４】
2008281767.tif 000006
【図５】
2008281767.tif 000007
【図６】
2008281767.tif 000008
【図７】
2008281767.tif 000009